(57)【要約】      （修正有）【課題】シャーシの強度を高めつつ、組み付け時の作業性を向上させることができる光ピックアップ装置を提供する。【解決手段】メディアを載置するターンテーブルと、ターンテーブルに載置されたメディアの情報を読み取るピックアップ部と、を有するドライブユニット１０と、ドライブユニットを収容する収容空間が形成されたシャーシと、を有し、シャーシは、収容空間の下方側に位置し、第１方向と交差する第２方向に渡された補強部２３，２４と、収容空間の上方側に位置し、ターンテーブルに載置されたメディアを上方から保持するクランパが取り付けられたクランパ保持部２２と、を有し、クランパ保持部には、第１方向に突出する規制突部２５を有する。【選択図】図２
2015092424.tif 000002
【特許請求の範囲】
【請求項１】
メディアを第１方向から挿入する光ピックアップ装置であって、
メディアを載置するターンテーブルと、前記ターンテーブルに載置されたメディアの情報を読み取るピックアップ部と、を有するドライブユニットと、
前記ドライブユニットを収容する収容空間が形成されたシャーシと、を有し、
前記シャーシは、
前記収容空間の下方側に位置し、前記第１方向と交差する第２方向に渡された補強部と、
前記収容空間の上方側に位置し、前記ターンテーブルに載置されたメディアを上方から保持するクランパが取り付けられたクランパ保持部と、を有し、
前記クランパ保持部には、前記第１方向に突出する規制突部を有する、ことを特徴とする光ピックアップ装置。
【請求項２】
前記クランパ保持部は、第２方向に２つの規制突部を併設させており、
前記２つの規制突部の間の前記第２方向の間隔は、前記ドライブユニットの前記ピックアップ部に備えられた対物レンズが位置する領域の前記第２方向の幅と比べて大きい、ことを特徴とする請求項１に記載の光ピックアップ装置。
【請求項３】
前記シャーシは、第２方向において、両側面から収容空間の内側に向けて延設する１組の規制部材を有し、
前記１組の規制部材の隙間は、前記ドライブユニットの第２方向の幅と比べて大きい、ことを特徴とする請求項１又は請求項２のいずれかに記載の光ピックアップ装置。
【請求項４】
前記クランパ保持部の、前記規制突部が突出する部位は、下面側が下向きに傾斜している、ことを特徴とする請求項１から請求項３のいずれか一項に記載の光ピックアップ装置。
【請求項５】
前記ドライブユニットは、所定長さだけ延設する嵌合突部を有し、
前記シャーシの前記メディアが挿入される前方側には、前記嵌合突部の延設方向を前記第１方向に向けた状態で、前記シャーシに収容された前記ドライブユニットの前記嵌合突部と嵌合する嵌合部材が位置しており、
前記嵌合部材は、前記ドライブユニットの前記嵌合突部が貫通して嵌合する嵌合溝を有し、
前記シャーシに収容された前記ドライブユニットにおける、前記第１方向での前記嵌合突部の先端から前記対物レンズまでの距離を第１の距離とした場合、前記シャーシの前記第１方向での前記嵌合部材から前記クランパ保持部の後端までの距離は、前記第１の距離と比べて短い、ことを特徴とする請求項２から請求項４のいずれか一項に記載の光ピックアップ装置。
【発明の詳細な説明】
【技術分野】
【０００１】
本発明は、光ピックアップ装置に関する。
【背景技術】
【０００２】
従来、ＤＶＤ、ＢＤ（ブルーレイディスク：登録商標）等のメディアの情報を読み取ったり、メディアに対して情報を記録するために光ピックアップ装置が用いられる。この光ピックアップ装置では、メディアからの情報の読み取り又は書き込みを行うドライブユニットや、このドライブユニットを収容するシャーシと、を有している。また、光ピックアップ装置の内部に収容されたメディアを保持することを目的として、シャーシにはメディアを上方から保持するクランパを有している。即ち、光ピックアップ装置の内部に収容されたメディアは、クランパにより上側から保持され、ドライブユニットにより安定的に情報の読み取り又は書き込みが行われる。
【０００３】
クランパは、メディアを上方から保持する必要があるため、従来の光ピックアップ装置では、シャーシの上方にクランパを保持するためのクランパ保持部材を備えている（例えば、特許文献１参照。）。
【先行技術文献】
【特許文献】
【０００４】
【特許文献１】特開２００５−２１６３９３号公報
【発明の概要】
【発明が解決しようとする課題】
【０００５】
しかし、ドライブユニットをシャーシの上側から内部に挿入する際、クランパ保持部材がドライブユニットに搭載されているピックアップ部に接触し、ドライブユニットを傷つけてしまう可能性があった。特に、ピックアップ部には、対物レンズなどのレンズが配置されているため、このレンズがクランパ保持部と干渉して傷つく恐れがあった。
一方で、シャーシの底面にドライブユニットを挿入できるだけの開口を形成し、この開口からドライブユニットを挿入して組み付けを行うことも考えられる。しかし、底面にドライブユニットを挿入できるだけの開口を有するシャーシでは、シャーシの強度が弱くなるといった問題があった。
【０００６】
本発明は、上記課題にかんがみてなされたもので、シャーシの強度を高めつつ、組み付け時の作業性を向上させることができる光ピックアップ装置の提供することを目的とする。
【課題を解決するための手段】
【０００７】
上記課題を解決するために、本発明の一態様は、メディアを第１方向から挿入する光ピックアップ装置であって、メディアを載置するターンテーブルと、前記ターンテーブルに載置されたメディアの情報を読み取るピックアップ部と、を有するドライブユニットと、前記ドライブユニットを収容する収容空間が形成されたシャーシと、を有し、前記シャーシは、前記収容空間の下方側に位置し、前記第１方向と交差する第２方向に渡された補強部と、前記収容空間の上方側に位置し、前記ターンテーブルに載置されたメディアを上方から保持するクランパが取り付けられたクランパ保持部と、を有し、前記クランパ保持部には、前記第１方向に突出する規制突部を有する。
【０００８】
上記のように構成された発明は、シャーシの下方側は補強部により補強されているため、シャーシ強度を高めることができる。一方、本発明のシャーシでは、補強部が邪魔をするため、ドライブユニットをシャーシの上方側から収容空間に挿入する必要がある。ここで、シャーシの収容空間の上方に位置するクランパ保持部には、第１方向に突出する規制突部を有している。そのため、ドライブユニットをシャーシの上方側から収容空間に挿入する際、ドライブユニットに規制突部が当接し、ドライブユニットに備えられたピックアップ部がクランパ保持部と干渉するのを規制することができる。特に、ピックアップ部には、対物レンズなどのレンズが配置されているため、このレンズがクランパ保持部と干渉して傷つくのを防ぐことができる。
【０００９】
また、本発明の一態様は、前記クランパ保持部は、第２方向に２つの規制突部を併設させており、前記２つの規制突部の間の前記第２方向の間隔は、前記ドライブユニットの前記ピックアップ部に備えられた対物レンズが位置する領域の前記第２方向の幅と比べて大きい、構成としてある。
上記のように構成された発明では、規制突部の第２方向での間隔は、ドライブユニットの上面に位置する対物レンズが配置される領域の幅と比べて大きく、ドライブユニットは、規制突部の第２突出片の先端がドライブユニットの第２方向の両端に当接しつつ、収容空間に挿入される。そのため、ドライブユニットは、対物レンズが規制突部に干渉することなく、収容空間に挿入される。
【００１０】
さらに、本発明の一態様は、前記シャーシは、第２方向において、両側面から収容空間の内側に向けて延設する１組の規制部材を有し、前記１組の規制部材の隙間は、前記ドライブユニットの第２方向の幅と比べて大きい、構成としてある。
上記のように構成された発明では、シャーシの収容空間にドライブユニットを収容する際、ドライブユニットが規制部材に当接し、挿入進路が規制される。そのため、ドライブユニットはシャーシ内部で大きく移動せず、規制突部をドライブユニットの意図した箇所に当接させることができる。その結果、作業性を向上させることができる。
【００１１】
また、本発明の一態様は、前記クランパ保持部の、前記規制突部が突出する部位は、下面側が下向きに傾斜している、構成としてある。
上記のように構成された発明では、クランパ保持部の下面の傾斜により、シャーシに挿入されるドライブユニットとの間のクリアランスを確保することができ、作業性を高めることができる。
【００１２】
そして、本発明の一態様は、前記ドライブユニットは、所定長さだけ延設する嵌合突部を有し、前記シャーシの前記メディアが挿入される前方側には、前記嵌合突部の延設方向を前記第１方向に向けた状態で、前記シャーシに収容された前記ドライブユニットの前記嵌合突部と嵌合する嵌合部材が位置しており、前記嵌合部材は、前記ドライブユニットの前記嵌合突部が貫通して嵌合する嵌合溝を有し、前記シャーシに収容された前記ドライブユニットにおける、前記第１方向での前記嵌合突部の先端から前記対物レンズまでの距離を第１の距離とした場合、前記シャーシの前記第１方向での前記嵌合部材から前記クランパ保持部の後端までの距離は、前記第１の距離と比べて短い、構成としてある。
上記のように構成された発明では、嵌合突部の先端が嵌合部材と嵌合ずれを生じさせた場合、クランパ保持部の下面とドライブユニットの対物レンズとが干渉する可能性がある。しかし、第１方向において、ドライブユニットの嵌合突部の先端から対物レンズまでの第１の距離が、シャーシの嵌合部材からクランパ保持部の後端までの第２の距離Ｌ２と比べて長いため、嵌合突部が嵌合部材と嵌合しない場合、対物レンズがクランパ保持部と重なるのを防止することができる。その結果、作業性を高めることができる。
【図面の簡単な説明】
【００１３】
【図１】光ピックアップ装置を示す斜視図である。
【図２】光ピックアップ装置を示す斜視図である。
【図３】シャーシ２０とドライブユニット１０とを分解した分解斜視図である。
【図４】嵌合突部１４とカムスライダー４０とを説明する内部断面図である。
【図５】規制突部２５、２５の形状を説明する図である。
【図６】シャーシ２０の収容空間Ｓへドライブユニット１０を挿入する際の位置関係を示す断面図である。
【図７】第２の実施形態において、シャーシ２０の内部に形成された規制部材を説明する図である。
【図８】第３の実施形態での、規制突部２５の形状を説明する断面図である。
【図９】第４の実施形態における、シャーシ２０のクランパ保持部２２の位置と、ドライブユニットの各部の位置関係とを示す内部断面図である。
【発明を実施するための形態】
【００１４】
以下、下記の順序に従って本発明の実施形態を説明する。
１．第１の実施形態：
２．第２の実施形態：
３．第３の実施形態：
４．第４の実施形態：
【００１５】
１．第１の実施形態：
１．１．光ピックアップ装置の構成：
以下、本発明の一実施形態につき、図面に沿って具体的に説明する。
図１、図２は、光ピックアップ装置を示す斜視図である。また、図３は、シャーシ２０とドライブユニット１０とを分解した分解斜視図である。
【００１６】
図１、図２に示すように、光ピックアップ装置１は、ドライブユニット１０と、シャーシ２０と、クランパ３０と、カムスライダー４０と、トレー５０と、を備える。この光ピックアップ装置１では、まず、メディアがセットされたトレー５０をシャーシ２０に引き込むと、ドライブユニット１０のターンテーブル１１とクランパ３０とでメディアを挟みこみ保持する。そして、ドライブユニット１０がメディアの情報を読み取り、読み取った情報をケーブルを通じて出力する。
【００１７】
以下の説明では、メディアが収容される方向（即ち、トレー５０がスライドする方向）を第１方向Ｄ１とする。また、この第１方向Ｄ１と交差する方向を第２方向Ｄ２とする。そして、光ピックアップ装置１の高さ方向を第３方向Ｄ３とする。なお、『交差』とは、厳密な意味において第１方向と第２方向とが９０度で直交する場合に限定されず、第１方向と第２方向とが所定角度を有する場合も含まれるものとする。また、第１方向Ｄ１において、シャーシ２０のトレー５０が引き出される側を「前方」、トレー５０が収容される側を「後方」とする。
【００１８】
シャーシ２０は、ドライブユニット１０を収容する収容空間Ｓを備える枠体である。また、シャーシ２０の収容空間Ｓの下方の位置には、第２方向Ｄ２で各側面２１に渡された補強部（第１補強部２３、第２補強部２４）が形成されている。また、シャーシ２０の収容空間Ｓの上方の位置には、第２方向Ｄ２で各側面２１に渡されたクランパ保持部２２が形成されている。本実施形態では、補強部２３、２４、クランパ保持部２２は、シャーシ２０に一体で形成されているが、これに限定されず、別部材により構成されていてもよい。
【００１９】
クランパ保持部２２は、第１方向Ｄ１において、第１補強部２３と第２補強部２４との間に位置するようシャーシ２０に形成されている。また、クランパ保持部２２は、シャーシ２０の側面２１、２１を渡す薄板形状である。そして、クランパ保持部２２の、第２方向Ｄ２の略中心には、メディアを挟持するクランパ３０が取り付けられている。クランパ３０は、このクランパ保持部２２に回転可能に取り付けられている。 
【００２０】
補強部は、シャーシ２０の前方側に位置する第１補強部２３と、シャーシ２０の後方側に位置する第２補強部２４と、を有する。
本実施形態では、第１補強部２３は、シャーシ２０の側面２１、２１を渡す薄板形状である。また、第１補強部２３には、第２方向Ｄ２に延設するスライドレール２３ａが形成されている（図２）。このスライドレール２３ａには、ドライブユニット１０を上下方向（第３方向Ｄ３）に移動させるカムスライダー４０が取り付けられている。また、第１補強部２３には、トレー５０を往復移動させる駆動機構（図示しない）が取り付けられている。
【００２１】
第２補強部２４は、第１補強部２３と比べて第１方向Ｄ１の後方に位置している。また、第２補強部２４は、シャーシ２０の側面２１、２１を渡す薄板形状である。そして、第２補強部２４には、一対の係合部材２４ａ、２４ａが上向きに突設されている。この係合部材２４ａ、２４ａは、ドライブユニット１０の係合溝と係合し、ドライブユニット１０を上下方向に昇降可能に保持する。
【００２２】
図３に示すように、ドライブユニット１０は、ターンテーブル１１、ピックアップ部１２、移動機構１３を備える。
ターンテーブル１１は、トレー５０を用いて収容されたメディアをクランパ３０とで狭持し、メディアを回転させる。また、ピックアップ部１２は、ターンテーブル１１上を回転するメディアに対して光を照射し、メディアからの反射光をもとに情報を読み取る。ピックアップ部１２は、ドライブユニット１０の上面１０ａ側にメディアと対向する対物レンズ１５を配置している。また、ピックアップ部１２は、図示しない、光源や、光源と対物レンズ１５との間の光の光路を形成するレンズ群、更には、反射光をもとにデジタル情報を生成する制御基板と、を備えている。
そして、移動機構１３は、ピックアップ部１２を、第１方向に往復可能に保持する一対のガイドシャフト１３ａ、１３ａと、ピックアップ部１２を、ガイドシャフト１３ａ、１３ａに沿って移動させるモーター１３ｂや、スクリュー１３ｃを備えている。
【００２３】
また、ドライブユニット１０の前方には、所定長さだけ延設する嵌合突部１４が形成されている。この嵌合突部１４は、シャーシ２０に収容されたドライブユニット１０をカムスライダー４０に嵌合させるものである。
【００２４】
図４は、嵌合突部１４とカムスライダー４０とを説明する内部断面図である。
カムスライダー４０は、第２方向Ｄ２に往復移動することで、ドライブユニット１０を第３方向Ｄ３に昇降移動させる。カムスライダー４０は、シャーシ２０の第１補強部２３のスライドレール２３ａに摺動可能に取り付けられている。また、カムスライダー４０のギアは、図示しない駆動部に接続されている。そのため、トレー５０の往復移動に合わせて、カムスライダー４０がスライドレール２３ａの延設方向（第２方向Ｄ２）に沿って摺動する。図４に示すように、カムスライダー４０は、第２方向Ｄ２に伸びつつ、第３方向Ｄ３の位置が変化する嵌合用溝４１が形成されている。そして、この嵌合用溝４１には、ドライブユニット１０の嵌合突部１４が貫通して嵌合する。そのため、カムスライダー４０が第２方向Ｄ２に移動することで、ドライブユニット１０の嵌合突部１４と嵌合用溝４１の嵌合位置が変化し、ドライブユニット１０の第３方向Ｄ３の位置を変化させる。
【００２５】
更に、クランパ保持部２２の後方側には、第１方向Ｄ１に突出する規制突部２５、２５が形成されている。本実施形態では、クランパ保持部２２は、第２方向Ｄ２に２つの規制突部２５、２５を併設させている。この規制突部２５、２５は、シャーシ２０の収容空間Ｓにドライブユニット１０を挿入する際、ドライブユニット１０の上面１０ａと当接し、ドライブユニット１０に設置されたピックアップ部１２がクランパ保持部２２の下面２２ａと接触するのを規制する。
【００２６】
図５は、規制突部２５、２５の形状を説明する図である。図５（ａ）は、図３におけるＢ−Ｂ断面に対応している。また、図５（ｂ）は、図３におけるＡ−Ａ断面に対応している。
図５（ａ）に示すように、規制突部２５、２５は、クランパ保持部２２の後方から第１方向Ｄ１に突出する第１突出片２５ａと、この第１突出片２５ａの突出した端部から下方に突出する第２突出片２５ｂとで構成されている。また、クランパ保持部２２から突出する第１突出片２５ａは、クランパ保持部２２の第３方向Ｄ３の厚みと比べて薄くなっている。そのため、第１突出片２５ａとクランパ保持部２２との繋ぎ目において空間が大きくなっている。さらに、規制突部２５の第１突出片２５ａの延設長を長くすることで、ドライブユニット１０を収容空間Ｓに挿入する際のクリアランスを確保することができる。
また、図５（ｂ）に示すように、２つの規制突部２５、２５間の第２方向Ｄ２の間隔Ｗ１は、ドライブユニット１０の上面１０ａに位置する対物レンズ１５が配置された領域の第２方向Ｄ２の幅Ｗ２と比べて大きくなっている。
【００２７】
１．２．光ピックアップ装置の組み付け
以下、上記のように構成された光ピックアップ装置１の組み付けを説明する。図６は、シャーシ２０の収容空間Ｓへドライブユニット１０を挿入する際の位置関係を示す断面図である。なお、図６は、光ピックアップ装置１の第１方向Ｄ１での断面図である。
【００２８】
まず、シャーシ２０の第１補強部２３にカムスライダー４０を取り付け、クランパ保持部２２にクランパ３０を取り付けておく。
そして、図６（ａ）に示すように、クランパ保持部２２の後方側から、収容空間Ｓに向けて、ドライブユニット１０の嵌合突部１４が形成された前方側を挿入する。
このとき、クランパ保持部２２に形成された規制突部２５、２５が、ドライブユニット１０の上面１０ａ側と当接する。規制突部２５、２５の第２方向Ｄ２での間隔Ｗ１は、ドライブユニット１０の上面１０ａに位置する対物レンズ１５が配置される領域の幅Ｗ２と比べて大きいため、規制突部２５、２５の第２突出片２５ｂの先端は、ドライブユニット１０の第２方向Ｄ２の両端（例えば、ガイドシャフト１３ａ、１３ａ）に当接している。即ち、対物レンズ１５が規制突部２５、２５の間を通過しつつ、ドライブユニット１０は収容空間Ｓに挿入される。
【００２９】
そして、図６（ｂ）に示すように、ドライブユニット１０の先端部が収容空間Ｓへ所定長さだけ挿入された所で、規制突部２５、２５を支点として、ドライブユニット１０を後方側の位置が低くなるよう傾斜させる。ここで、ドライブユニット１０の上面１０ａと規制突部２５、２５との当接は維持されているため、クランパ保持部２２の下面２２ａが、ドライブユニット１０の上面側に位置するピックアップ部１２に干渉するのを回避する。
【００３０】
さらに、図６（ｃ）に示すように、ドライブユニット１０をカムスライダー４０側に前進させて、ドライブユニット１０の嵌合突部１４を、カムスライダー４０の嵌合用溝４１に挿入する。そして、ドライブユニット１０の係合溝をシャーシ２０の第２補強部２４に位置する係合部材２４ａ、２４ａ（図６では図示しない）に係合する。そして、図示しない駆動部や、トレー５０を組み付ける。以上の工程により、本発明の光ディスク装置１が完成する。
【００３１】
以上説明したように、この第１の実施形態では、シャーシ２０の収容空間Ｓの上方に位置するクランパ保持部２２には、第１方向に突出する規制突部２５、２５が形成されている。そのため、ドライブユニット１０をシャーシ２０の上方側から収容空間Ｓに挿入する場合、ドライブユニット１０の上面１０ａに規制突部２５、２５が当接し、ドライブユニット１０に備えられたピックアップ部１２がクランパ保持部２２と干渉するのを規制することができる。特に、ピックアップ部１２の対物レンズ１５がクランパ保持部２２と干渉し傷が付くのを防ぐことができる。
【００３２】
２．第２の実施形態：
この第２の実施形態では、シャーシ２０の内側には、ドライブユニット１０の挿入経路を規制する規制部材が形成されている構成が他の実施形態と比べて異なる。
【００３３】
図７は、第２の実施形態において、シャーシ２０の内部に形成された規制部材を説明する図である。なお、図７は、図３のＡ−Ａ断面に対応している。
【００３４】
図７に示すように、この第２の実施形態では、シャーシ２０の内側には、第１規制部材２６、２６と、第２規制部材２７、２７と、を有する。
第１規制部材２６、２６は、第２方向Ｄ２において、シャーシ２０の側面２１から内側に向けて所定長さだけ延設している。また、第１規制部材２６、２６間の第２方向Ｄ２での隙間Ｗ３は、ドライブユニット１０の第２方向Ｄ２での幅Ｗ４と比べて大きくなっている。より望ましくは、第１規制部材２６、２６の第２方向Ｄ２での間の隙間Ｗ３は、ドライブユニット１０の第２方向Ｄ２での幅Ｗ４と比べて若干（例えば、１ｍｍ〜１０ｍｍ）大きいことが望ましい。
【００３５】
また、第１規制部材２６の下方には、第１規制部材２６から第２方向Ｄ２に所定長さだけ伸びた薄板状の第２規制部材２７、２７が形成されている。この第２規制部材２７、２７間の第２方向Ｄ２での隙間Ｗ５は、ドライブユニット１０の第２方向Ｄ２での幅Ｗ４と比べて小さくなっている。そのため、シャーシ２０の収容空間に収容されたドライブユニット１０の下面１０ｂの縁部は、この第２規制部材２７、２７の載置面２７ａ、２７ａに載置される。
【００３６】
この第２の実施形態では、クランパ保持部２２の後方側からシャーシ２０の収容空間Ｓにドライブユニット１０を収容する際、ドライブユニット１０の側面が第１規制部材２６に当接し、挿入進路が規制される。そのため、ドライブユニット１０は第２方向において大きく移動せず、規制突部２５、２５をドライブユニット１０の意図した箇所に当接させることができる。その結果、作業性を向上させることができる。
また、ドライブユニット１０の下面１０ｂの縁部を第２規制部材２７、２７の上面に載置させた状態で、ドライブユニット１０をシャーシ２０の収容空間Ｓの前方に挿入することができる。そのため、作業者は、ドライブユニット１０の上面１０ａとクランパ保持部２２との下面２２ａとのクリアランスを保持させた状態で、ドライブユニット１０をシャーシ２０の収容空間Ｓに挿入することができ、作業性を向上させることができる。
【００３７】
３．第３の実施形態：
図８は、第３の実施形態での、規制突部２５の形状を説明する断面図である。なお、図８は、図３のＢ−Ｂ断面に対応している。
この第３の実施形態では、クランパ保持部２２の、規制突部２５が突出する部位は、下面２２ａ側が下向きに傾斜している構成が他の実施形態と比べて異なる。
【００３８】
図８では、クランパ保持部２２の規制突部２５が突出する部位は、下面２２ａ側が面取りされている。そのため、クランパ保持部２２の下面２２ａ側が、第１方向Ｄ１で前方に移行するに従い下向きに傾斜する傾斜面２２ｃを有している。また、この第３の実施形態においても、クランパ保持部２２から突出する第１突出片２５ａは、クランパ保持部２２の第３方向Ｄ３の厚みと比べて薄くなっている。そのため、第１突出片２５ａとクランパ保持部２２との繋ぎ目において空間が大きくなっている。
【００３９】
そのため、傾斜面２２ｃの分だけ収容空間Ｓが広がっており、クランパ保持部２２の後方からドライブユニット１０を収容空間Ｓへ挿入する際、クランパ保持部２２とドライブユニット１０との間にクリアランスが確保される。その結果、作業者は、ピックアップ部１２をクランパ保持部２２に干渉させることなくドライブユニット１０をシャーシ２０へ挿入することができ、作業性を向上させることができる。
【００４０】
４．第４の実施形態：
図９は、第４の実施形態における、シャーシ２０のクランパ保持部２２の位置と、ドライブユニットの各部の位置関係とを示す内部断面図である。便宜上、図９では、クランパ３０を省略している。この第４の実施形態では、クランパ保持部２２の後端の位置が、ドライブユニットの嵌合突部１４の先端から対物レンズ１５までの位置に応じて設定されている構成が他の実施形態と異なる。
【００４１】
この第４の実施形態では、ドライブユニット１０の嵌合突部１４の先端から対物レンズ１５までの距離（第１方向Ｄ１での距離）が第１の距離Ｌ１となっている。また、シャーシ２０の第１方向Ｄ１でのカムスライダー４０が取り付けられた位置からクランパ保持部２２の後端までの距離が第２の距離Ｌ２となっている。ここで、シャーシ２０のカムスライダー４０が取り付けられる位置とは、シャーシ２０に取り付けられたカムスライダー４０の第１方向における後端からの位置であり、嵌合用溝４１の内側を除く位置である。そして、第２の距離Ｌ２は第１の距離Ｌ１と比べて短くなっている。
【００４２】
ドライブユニット１０をクランパ保持部２２の後方から収容空間Ｓに収容する際、ドライブユニット１０の先端に位置する嵌合突部１４をカムスライダー４０の嵌合用溝４１に挿入して、ドライブユニット１０とカムスライダー４０とを嵌合する。しかし、嵌合突部１４の先端がカムスライダー４０の嵌合用溝４１に挿入せず、嵌合ずれが生じた場合、クランパ保持部２２の下面２２ａとドライブユニット１０の対物レンズ１５とが干渉する可能性がある。しかし、第１方向Ｄ１において、ドライブユニット１０の嵌合突部１４の先端から対物レンズ１５までの第１の距離Ｌ１が、シャーシ２０のカムスライダー４０からクランパ保持部２２の後端までの第２の距離Ｌ２と比べて長いため、嵌合突部１４が嵌合用溝４１に挿入しない場合、対物レンズ１５がクランパ保持部２２と比べて後方に位置することになる。
【００４３】
そのため、この第４の実施形態では、嵌合突部１４が嵌合用溝４１と嵌合しない場合に、対物レンズ１５がクランパ保持部２２の下面２２ａと当接するのを回避することができ、ドライブユニット１０のシャーシ２０への挿入をより行い易くすることができる。
【００４４】
なお、本発明は上記実施例に限られるものでないことは言うまでもない。
即ち、上記実施例の中で開示した相互に置換可能な部材および構成等を適宜その組み合わせを変更して適用してもよい。
公知技術であって上記実施例の中で開示した部材および構成等と相互に置換可能な部材および構成等を適宜置換し、またその組み合わせを変更して適用してもよい。
公知技術等に基づいて当業者が上記実施例の中で開示した部材および構成等の代用として想定し得る部材および構成等と適宜置換し、またその組み合わせを変更して適用してもよい。
【符号の説明】
【００４５】
１…光ピックアップ装置、１０…ドライブユニット、１１…ターンテーブル、１２…ピックアップ部、１３…移動機構、１３ａ…ガイドシャフト、１３ｂ…モーター、１３ｃ…スクリュー、１４…嵌合突部、１５…対物レンズ、２０…シャーシ、２１…側面、２２…クランパ保持部、２２ａ…下面、２２ｃ…傾斜面、２３…第１補強部、２３ａ…スライドレール、２４…第２補強部、２４ａ…係合部材、２５…規制突部、２５ａ…第１突出片、２５ｂ…第２突出片、２６…第１規制部材、２７…第２規制部材、２７ａ…載置面、３０…クランパ、４０…カムスライダー
【図１】
2015092424.tif 000003
【図２】
2015092424.tif 000004
【図３】
2015092424.tif 000005
【図４】
2015092424.tif 000006
【図５】
2015092424.tif 000007
【図６】
2015092424.tif 000008
【図７】
2015092424.tif 000009
【図８】
2015092424.tif 000010
【図９】
2015092424.tif 000011